(57)【要約】【課題】庫内空気が、本来の循環径路を循環するようにした自動販売機を提供する。【解決手段】自動販売機１０００の商品収納庫１０内に設けられた背面ダクト１６を形成するダクト板６０は、矩形の板金を曲げ加工したものであって、背面１１ｂと平行に配置される平行部６１と、側端部６４から所定の距離に位置する折り曲げ部６２において折り曲げられた傾斜部６３と、を有し、ダクト板６０の弾性復元力によって、側端部６４は商品収納庫１０の側面１１ａに押し付けられている。【選択図】図２
2010015356.tif 000002
【特許請求の範囲】
【請求項１】
筐体からなる商品収納庫と、
該商品収納庫内に設置され、商品を収納して順次下方に搬出する機能を有した商品ラックと、
前記商品収納庫の前面壁に形成された、商品が通過自在な商品搬出口と、
前記商品ラックから落下した商品を前記商品搬出口に誘導する商品誘導手段と、
該商品誘導手段の下方に設置され、庫内空気の温度を調整する熱交換手段と、
該熱交換手段に隣接して設置され、前記熱交換手段に向けて庫内空気を送り出す送風手段と、
前記商品収納庫の背面との間に、前記送風手段によって送られた庫内空気を前記商品ラックの内部を経由して前記送風手段に循環させるための背面ダクトを形成するダクト板と、
を有し、
該ダクト板が、両側縁に形成された傾斜部と、該傾斜部に挟まれた平行部と、を具備する板材であって、
前記傾斜部の側端部が、前記ダクト板の弾性変形によって前記商品収納庫の側面に押し付けられることを特徴とする自動販売機。
【請求項２】
前記傾斜部の側端部に、所定幅の当接面が形成され、
該当接面が、前記ダクト板の弾性変形によって前記商品収納庫の側面に押し付けられることを特徴とする請求項１記載の自動販売機。
【請求項３】
前記ダクト板が、前記傾斜部に連結された第２の傾斜部または前記平行部に連結された一対の第２の傾斜部を具備し、
該第２の傾斜部の側端部が、前記ダクト板の弾性変形によって前記商品収納庫の側面に押し付けられることを特徴とする請求項１または２記載の自動販売機。
【請求項４】
前記第２の傾斜部の側端部に、所定幅の当接面が形成され、該当接面が前記ダクト板の弾性変形によって前記商品収納庫の側面に押し付けられることを特徴とする請求項３記載の自動販売機。
【請求項５】
前記ダクト板が、前記傾斜部に連結された第２の傾斜部または前記平行部に連結された一対の第２の傾斜部を具備し、
該第２の傾斜部の側端部が、前記商品収納庫の背面に当接することを特徴とする請求項１または２記載の自動販売機。
【請求項６】
前記第２の傾斜部の側端部に、所定幅の当接面が形成され、該当接面が前記商品収納庫の背面に当接することを特徴とする請求項５記載の自動販売機。
【請求項７】
前記熱交換手段が前記商品収納庫の底面の平坦部に載置され、
前記熱交換手段の直下に、凹部であるドレン受け皿が形成され、
平面視において、前記ドレン受け皿が前記熱交換手段の投影面積内に含まれ、前記ドレン水受け皿と前記底面の平坦部とに跨って吸水紙または吸水布が設置されてなることを特徴とする請求項１乃至６の何れかに記載の自動販売機。
【請求項８】
前記吸水紙または吸水布が、前記熱交換器の下端部と前記底面の平坦部とによって挟まれることを特徴とする請求項７記載の自動販売機。
【請求項９】
冷媒を圧縮する圧縮機と、圧縮された冷媒を凝縮させる凝縮器と、凝縮された冷媒を膨張させる膨張手段と、膨張した冷媒を蒸発させる蒸発器と、これらを順次連結して冷媒を循環させる冷凍サイクルを有し、
前記熱交換器が前記蒸発器であることを特徴とする請求項１乃至８の何れかに記載の自動販売機。
【発明の詳細な説明】
【技術分野】
【０００１】
本発明は自動販売機、特に、缶、ビン、パック、ペットボトル等の容器に入れた飲料等の商品を冷却または加熱して販売に供する自動販売機に関する。
【背景技術】
【０００２】
従来、自動販売機は、冷媒を圧縮する圧縮機と、圧縮された冷媒を凝縮させる凝縮器（ガスクーラに同じ）と、凝縮された冷媒を膨張させる膨張手段と、膨張した冷媒を蒸発させる蒸発器と、これらを順次連結して冷媒を循環させる配管と、から形成された冷凍サイクルを有し、商品を収納する各商品収納庫内に蒸発器を設置して、商品を冷却している。また、商品収納庫内に新たな凝縮器を設置して商品を加熱するヒートポンプ運転を可能にするものがある。
【０００３】
そして、商品収納庫内の底面に設置した蒸発器（または凝縮器）における冷却（または加熱）された庫内空気と、収容された商品との熱交換を促進するため、商品収納庫の後方（背面に同じ）に背面ダクトが設置されている。背面ダクトは、商品収納庫の背面（背板に同じ）と平行に設置されたダクト板と、背面との隙間によって形成され、上部に吸引口、下部に吹出口が形成されている。このとき、ダクト板に蒸発器等を固定する発明が開示されている（例えば、特許文献１参照）。
さらに、商品収納庫からのドレン水を蒸発皿に誘導する排水管内に、蒸発シートを設置して、蒸発シートにおいてドレン水の一部を蒸発させる発明が開示されている（例えば、特許文献２参照）。
【０００４】
【特許文献１】特開２００５−９２３９５号公報（第７−８頁、図１）
【特許文献２】特開平１１−２５０３３０号公報（第２−３頁、図１）
【発明の開示】
【発明が解決しようとする課題】
【０００５】
しかしながら、特許文献１に開示された発明は、板材を平面視コ字状に両側縁を直角に折り曲げたダクト板を用いて、その両側縁の先端を背面に当接させることによって、風路（背面ダクトに同じ）を形成するものである。すなわち、背面ダクトは、背面に平行な平行部と、背面に垂直な一対の垂直部（折り曲げられた両側縁部に同じ）と、背面とによって、形成されている。
このため、前記垂直部の先端の直線性や、背面の平面度が不充分な場合や、ダクト板を後方面壁に押し付ける力が弱い場合等に、当接部に隙間が生じ、かかる隙間から庫内空気が背面ダクト内に侵入していた。すなわち、商品収納庫に吹き出された庫内空気が、本来の吸込口から吸い込まれないで、商品との熱交換が不充分なまま「ショートカット」していた。そうすると、蒸発器（または凝縮器）における交換熱量が減少し、冷凍サイクルの運転効率が悪化するという問題があった。
【０００６】
また、垂直部の高さ（折り曲げられる範囲の幅に同じ）が、背面ダクトの前後方向の距離（幅）に一致するため、ダクト板毎（平行部の幅および垂直部の高さ幅毎）に、背面ダクトの断面積が決定される。このため、自動販売機の機種毎あるいは商品収納毎に、ダクト板を製造する必要があり、互換性を欠くことに起因して、それぞれについて板金製作加工コストが生じるという問題があった。
【０００７】
一方、特許文献２に開示された発明は、蒸発皿を小さくするが可能になるものの、商品収納庫の底面に形成された凹部である「ドレン水受け皿」が略四角錐台状であるため、かかる凹部に載置される蒸発器の下端部（正確には、蒸発器を形成する放熱板の内最も外側に配置された放熱板の下端部）は、略四角錐台状の傾斜面に当接していた。このため、前記下端部の直線性や、傾斜面の平面度、あるいは載置される蒸発器の商品収納庫の底面に対する垂直度等が不充分な場合、当接部に隙間が生じ、かかる隙間から庫内空気が流出したり、反対に流入したりしていた。このため、蒸発器における交換熱量が減少し、冷凍サイクルの運転効率が悪化するという問題があった。
【０００８】
本発明は上記問題を解決するものであって、庫内空気が、本来の循環径路を循環するようにした自動販売機を提供することを目的とする。
【課題を解決するための手段】
【０００９】
（１）本発明に係る自動販売機（請求項１）は、筐体からなる商品収納庫と、
該商品収納庫内に設置され、商品を収納して順次下方に搬出する機能を有した商品ラックと、
前記商品収納庫の正面壁に形成された、商品が通過自在な商品搬出口と、
前記商品ラックから落下した商品を前記商品搬出口に誘導する商品誘導手段と、
該商品誘導手段の下方に設置され、庫内空気の温度を調整する熱交換手段と、
該熱交換手段に隣接して設置され、前記熱交換手段に向けて庫内空気を送り出す送風手段と、
前記商品収納庫の背面との間に、前記送風手段によって送られた庫内空気を前記商品ラックの内部を経由して前記送風手段に循環させるための背面ダクトを形成するダクト板と、
を有し、
該ダクト板が、両側縁に形成された傾斜部と、該傾斜部に挟まれた平行部と、を具備する板材であって、
前記傾斜部の側端部が、前記ダクト板の弾性変形によって前記商品収納庫の側面に押し付けられることを特徴とする。
【００１０】
（２）本発明に係る自動販売機（請求項２）は、前記（１）において、前記傾斜部の側端部に、所定幅の当接面が形成され、該当接面が、前記ダクト板の弾性変形によって前記商品収納庫の側面に押し付けられることを特徴とする。
【００１１】
（３）本発明に係る自動販売機（請求項３）は、前記（１）または（２）において、前記ダクト板が、前記傾斜部に連結された第２の傾斜部または前記平行部に連結された第２の傾斜部を具備し、
該第２の傾斜部の側端部が、前記ダクト板の弾性変形によって前記商品収納庫の側面に押し付けられることを特徴とする。
【００１２】
（４）本発明に係る自動販売機（請求項４）は、前記（３）において、前記第２の傾斜部の側端部に、所定幅の当接面が形成され、該当接面が、前記ダクト板の弾性変形によって前記商品収納庫の側面に押し付けられることを特徴とする。
【００１３】
（５）本発明に係る自動販売機（請求項５）は、前記（１）または（２）において、前記ダクト板が、前記傾斜部に連結された第２の傾斜部または前記平行部に連結された第２の傾斜部を具備し、
該第２の傾斜部の側端部が、前記商品収納庫の背面に当接することを特徴とする。
【００１４】
（６）本発明に係る自動販売機（請求項６）は、前記（５）において、前記第２の傾斜部の側端部に、所定幅の当接面が形成され、該当接面が前記商品収納庫の背面に当接することを特徴とする。
【００１５】
（７）本発明に係る自動販売機（請求項７）は、前記（１）乃至（６）の何れかにおいて、前記熱交換手段が前記商品収納庫の底面の平坦部に載置され、
前記熱交換手段の直下に、凹部であるドレン受け皿が形成され、
平面視において、前記ドレン受け皿が前記熱交換手段の投影面積内に含まれ、前記ドレン水受け皿と前記底面の平坦部とに跨って吸水紙または吸水布が設置されてなることを特徴とする。
【００１６】
（８）本発明に係る自動販売機（請求項８）は、前記（７）において、前記吸水紙または吸水布が、前記熱交換器の下端部と前記底面の平坦部とによって挟まれることを特徴とする。
【００１７】
（９）本発明に係る自動販売機（請求項９）は、前記（１）乃至（８）の何れかにおいて、冷媒を圧縮する圧縮機と、圧縮された冷媒を凝縮させる凝縮器と、凝縮された冷媒を膨張させる膨張手段と、膨張した冷媒を蒸発させる蒸発器と、これらを順次連結して冷媒を循環させる冷凍サイクルを有し、
前記熱交換器が前記蒸発器であることを特徴とする。
【発明の効果】
【００１８】
（ｉ）本発明の請求項１に係る自動販売機は、ダクト板が、両側縁に形成された傾斜部と、傾斜部に挟まれた平行部と、を具備する板材であって、傾斜部の側端部が、ダクト板の弾性変形によって商品収納庫の側面に押し付けられるから、傾斜部の側端部と側面との当接部（シール部に同じ）に隙間が生じ難い。すなわち、ダクト板の弾性変形量（弾性復元量に同じ）を調整することによって所望の押し付け力でもって押し付けることができるから、傾斜部の側端部の先端の直線性や、側面の平面度が充分でない場合であっても、当接部に隙間が生じ難く、背面ダクト内に庫内空気がショートカットして流入することが抑えられる。
また、前記当接位置は、商品収納庫の前後方向で移動自在（摺動自在）であるから、当接位置の移動によって背面ダクトの断面積を変更することが容易にできる。よって、互換性が増すことから、板金製作加工コストを抑えることができる。
【００１９】
（ｉｉ）本発明の請求項２に係る自動販売機は、前記効果に加え、前記傾斜部の側端部に形成された当接面が、側面に押し付けられるから、当接面積（シール面積に同じ）が増し、当接部において隙間がさらに生じ難くなる。
【００２０】
（ｉｉｉ）本発明の請求項３に係る自動販売機は、前記効果に加え、第２の傾斜部の側端部が、ダクト板の弾性変形によって商品収納庫の側面に押し付けられるから、二重の当接部（シール部）が形成されることになる。よって、庫内空気のショートカットがさらに抑えられる。
【００２１】
（ｉｖ）本発明の請求項４に係る自動販売機は、前記効果に加え、第２の傾斜部の側端部に当接面が形成されているから、二重の当接部（シール部）が形成されると共に、当接面が拡大するから、庫内空気のショートカットがさらに抑えられる。
【００２２】
（ｖ）本発明の請求項５に係る自動販売機は、前記効果に加え、第２の傾斜部の側端部が、前記商品収納庫の背面に当接するから、前記効果に加え、二重の当接部（シール部）が形成され、庫内空気のショートカットがさらに抑えられる。
【００２３】
（ｖｉ）本発明の請求項６に係る自動販売機は、第２の傾斜部の側端部に形成された当接面が背面に当接するから、二重の当接部（シール部）が形成されると共に、当接面が拡大するから、庫内空気のショートカットがさらに抑えられる。
【００２４】
（ｖｉｉ）本発明の請求項７に係る自動販売機は、熱交換手段が底面の平坦部に載置されるから、熱交換手段と底面との当接部に隙間が生じ難くなり、当該当接部を通過する庫内空気の流れが抑えられる。したがって、蒸発器における交換熱量が確保され、冷凍サイクルの運転効率の悪化が防止される。また、熱交換手段の直下で、熱交換手段の投影面積内に含まれるように凹部であるドレン受け皿が形成され、且つ、ドレン水受け皿と底面の平坦部とに跨って吸水紙または吸水布が設置されるから、熱交換手段から滴下するドレン水を確実に集めることができる。
【００２５】
（ｖｉｉｉ）本発明の請求項８に係る自動販売機は、吸水紙または吸水布が熱交換器の下端部と底面の平坦部とによって挟まれるから、熱交換手段と底面との間を、庫内空気が流通しなくなる（極めて通過し難くなる）。
【００２６】
（ｉｘ）本発明の請求項９に係る自動販売機は、商品収納室に設置された熱交換器が、冷凍サイクルを構成する蒸発器であるから、省エネ性に優れ、商品を所望の温度にすることが容易になる。
【発明を実施するための最良の形態】
【００２７】
［実施の形態１］
（全体構成）
図１〜３は本発明の実施の形態１に係る自動販売機を説明するものであって、図１は全体を模式的に示す正面視の断面図、図２および図３は部分（ダクト板）の実施例を模式的に示す平面視の断面図である。
図１において、自動販売機１００は、正面（前面に同じ）が開口するキャビネット１１と、該開口部を開閉する正面扉１２とを具備する商品収納庫１０と、商品収納庫１０を所定の温度に保持するための冷凍ユニット２０と、を有している。
商品収納庫１０は、通常、仕切り板（図示しない）によって複数に、たとえば、左室、中室および右室等に仕切られているが、仕切り板の無いものもある。なお、以下、説明の便宜上、仕切り板によって仕切られた商品収納庫１０については、仕切り板を商品収納庫１０の側面１１ａと称す。
【００２８】
商品収納庫１０内には、商品Ｓを収納するための商品収納ラック１３と、商品収納ラック１３から自然落下した商品Ｓを商品取出し口（図示しない）に誘導するシュータ１４とが設置され、シュータ１４の下方が庫内部品収納室１５となっている。また、庫内空気を商品収納ラック１３を経由して庫内部品収納室１５に循環させるための背面ダクト１６が設置されている。
そして、庫内部品収納室１５には、背面ダクト１６に近い方（上流側）から遠い方（下流側）に向かって順番に、風胴３１と、熱交換手段である蒸発器３２と、庫内ファン３３と、通電ヒータ３４とが、底面１１ｃに設置されている。
【００２９】
そして、商品収納庫１０外には、冷凍ユニット２０を構成する部材、すなわち、冷媒を圧縮する圧縮機１と、圧縮機１により圧縮された冷媒を冷却する熱交換器（以下「ガスクーラ」と称す）２と、ガスクーラ２により冷却された冷媒を膨張する膨張手段３（たとえば、電子膨張手段、キャピラリなど）とが配置されている。また、ガスクーラ２に向けて外気を吹き付ける庫外ファン２ｆが配置されている。
また、庫内部品収納室１５に配置された蒸発器３２は、冷凍ユニット２０を構成するものであって、膨張手段３において膨張した冷媒が流入し、庫内空気を冷却（冷熱を放出）するものである。
なお、自動販売機１００には通電ヒータ３４が設置されているが、これに替えて庫内に凝縮機を設置したり、あるいは蒸発器３２に高温高圧の冷媒を供給して凝縮器の機能を発揮させたりしてもよい（いわゆる「ヒートポンプ運転」を可能にしてもよい）。
【００３０】
（背面ダクト）
背面ダクト１６は、背面１１ｂと、背面１１ｂと平行に設置されたダクト板６０とによって形成されている。ダクト板６０の上部には、庫内空気を背面ダクト１６内に取り入れるための背面ダクト入口１６ａが形成され、ダクト板６０の下部には、庫内空気を庫内部品収納室１５に送り出すための背面ダクト出口１６ｂが、それぞれ形成され、上端は背面ダクト天板１６ｃによって閉塞されている。したがって、商品収納庫１０では、平均すると図中、矢印で模式的に示すような風流れが形成される。
【００３１】
（ダクト板）
図２の（ａ）において、ダクト板６０は、矩形の板金を曲げ加工したものであって、背面１１ｂと平行に配置される平行部６１と、側端部６４から所定の距離に位置する折り曲げ部６２において折り曲げられた傾斜部６３と、を有している。そして、商品収納庫１０に設置される前の一対の側端部６４間の距離が、商品収納庫１０の幅（一致の側面１１ａ同士の間隔に同じ）より僅かに大きくなっているから、ダクト板６０の弾性復元力によって、側端部６４は商品収納庫１０の側面１１ａに押し付けられている。
したがって、側端部６４の直線性や、側面１１ａの平面度が充分でない場合であっても、当接部に隙間が生じ難く、背面ダクト１６内に庫内空気がショートカットして流入することが抑えられる。
また、当接位置は、商品収納庫１０の前後方向で移動自在（摺動自在）であるから、当接位置の移動によって背面ダクト１６の断面積を変更することが容易にできる。よって、互換性が増すことから、板金製作加工コストを抑えることができる。
なお、背面ダクト天板１６ｃの一部を、前記矩形の板金を折り曲げて形成し、閉塞できない範囲には、所定の板材を設置するようにしてもよい。
【００３２】
図２の（ｂ）において、ダクト板６０ｂは、ダクト板６０に替えて商品収納庫１０に設置されるものであって、側端部６４と側面１１ａとの当接部が、平行部６１よりも背面１１ｂ寄りに位置している。したがって、ダクト板６０と同様に、背面ダクト１６内への庫内空気のショートカットによる流入が抑えられると共に、互換性が増している。
なお、背面ダクト天板１６ｃは、前記矩形の板金を折り曲げることによって形成される。
【００３３】
図２の（ｃ）において、ダクト板６０ｃは、ダクト板６０に替えて商品収納庫１０に設置されるものであって、側端部６４に沿って、所定幅の当接部６６が形成されている。すなわち、ダクト板６０における傾斜部６３が折り曲げ部６５において折り曲げられている。
そして、当接部６６は側面１１ａに平行であって、全面が側面１１ａに押し付けられている。したがって、当接面積（シール面積に同じ）が増し、当接部において隙間がさらに生じ難くなるから、背面ダクト１６内への庫内空気のショートカットによる流入がさらに抑えられると共に、互換性が増している。
なお、ダクト板６０ｂ（図２の（ｂ）参照）に当接部６６を形成してもよい。
【００３４】
図３の（ａ）において、ダクト板６０ｄは、ダクト板６０に替えて商品収納庫１０に設置されるものであって、ダクト板６０に第２の傾斜部７３を設けたものである。第２の傾斜部７３は、接合部７２において折り曲げ部６２に接続され、側端部７４は側端部６４と同様に側面１１ａに押し付けられている。
したがって、二重の当接部（シール部）が形成されるから、背面ダクト１６内への庫内空気のショートカットによる流入がさらに抑えられると共に、互換性が増している。
なお、側端部７４を背面１１ｂに当接させてもよいし、接合部７２を平行部６１または傾斜部６３に接合してもよい。さらに、ダクト板６０ｂまたはダクト板６０ｃに接合部７２を設置してもよい。
【００３５】
図３の（ｂ）において、ダクト板６０ｅは、ダクト板６０に替えて商品収納庫１０に設置されるものであって、ダクト板６０に第２の傾斜部７３を設けると共に、傾斜部７３に当接部７６を形成し、当接部７６が背面１１ｂに当接するようにしたものである。すなわち、第２の傾斜部７３が折り曲げ部７５において折り曲げられている。
そして、当接部７６は背面１１ｂに平行であって、全面が背面１１ｂに押し付けられている。したがって、二重の当接部（シール部）が形成されると共に、当接面積（シール面積に同じ）が増すから、背面ダクト１６内への庫内空気のショートカットによる流入がさらに抑えられると共に、互換性が増している。
なお、ダクト板６０ｄ（図３の（ａ）参照）に当接部７６を形成してもよい。
【００３６】
［実施の形態２］
（全体構成）
図４は本発明の実施の形態２に係る自動販売機を説明するものであって、図４の（ａ）は部分（ドレン受け皿）を模式的に示す斜視図、図４の（ｂ）は部分（ドレン受け皿）を模式的に示す正面視の断面図である。なお、実施の形態２に係る自動販売機２００の全体構成は自動販売機１００（実施の形態１）に同じであるから、説明を省略する。また、図４において、自動販売機１００と同じ部分にはこれと同じ符号を付している。
図４において、自動販売機２００の商品収納庫１０の底面１１ｃには、凹部であるドレン受け皿５０が形成されている。ドレン受け皿５０は、一対の皿側方斜面５１と、一対の皿前後斜面５２と、皿平面５３とを具備する四角錐台状である。そして、ドレン受け皿５０は、蒸発器３２の底面１１ｃへの投影面積の内部に収納されている。
【００３７】
すなわち、底面１１ｃにおける皿側方斜面５１と皿前後斜面５２との交点「ａ、ｂ、ｃ、ｄ」は、蒸発器３２の底面１１ｃとの当接部の角「Ａ、Ｂ、Ｃ、Ｄ」によって囲まれた矩形の内部に位置している。
そして、当該矩形の内部において、底面１１ｃ（平坦）と皿側方斜面５１とに跨るように、１または２枚以上の吸水紙５６が載置されている。
なお、皿平面５３にはドレン排水孔５４が形成され、ドレン排水孔５４にドレン管５５が接続されている。
【００３８】
したがって、蒸発器３２と、平坦である底面１１ｃとの当接部に隙間が生じ難くなり、当該当接部を通過する庫内空気の流れが抑えられる。したがって、当該当接部を通過する庫内空気の流れが抑えられ、蒸発器３２における交換熱量が確保され、冷凍サイクルの運転効率の悪化が防止される。
また、蒸発器３２の直下に位置するドレン水受け皿と底面の平坦部とに跨って吸水紙５６が設置されるから、滴下したドレン水が確実に集められている。
なお、吸水紙５６の大きさ（面積や厚さ）や枚数は限定するものではなく、また、吸水紙に替えて、吸水性を有する布や多孔質体等であってもよい。
【００３９】
［実施の形態３］
（全体構成）
図５は本発明の実施の形態３に係る自動販売機を説明するものであって、部分（ドレン受け皿）を模式的に示す正面視の断面図である。なお、実施の形態３に係る自動販売機３００の全体構成は自動販売機１００、２００（実施の形態１、２）に同じであるから、説明を省略する。また、図５において、自動販売機２００と同じ部分にはこれと同じ符号を付している。
図５において、自動販売機３００の底面１１ｃ（平坦）と皿側方斜面５１とに跨がって載置された吸水紙５６の上に、蒸発器３２の蒸発器側板３２ａが乗っている。すなわち、蒸発器３２が吸水紙５６を介して底面１１ｃに当接しているから、当該当接部を通過する庫内空気の流れがさらに抑えられている。
また、蒸発器３２から滴下したドレン水は、自動販売機２００と同様に確実に集められている。
【産業上の利用可能性】
【００４０】
本発明によれば、庫内空気が本来の循環径路を循環するようにしているから、冷凍サイクルの効率が良好なため、各種自動販売機として広く利用することができる。
【図面の簡単な説明】
【００４１】
【図１】本発明の実施の形態１に係る自動販売機を説明する正面視の断面図。
【図２】図１に示す自動販売機の部分（ダクト板）の実施例を示す平面視の断面図。
【図３】図１に示す自動販売機の部分（ダクト板）の実施例を示す平面視の断面図。
【図４】本発明の実施の形態２に係る自動販売機の部分（ドレン受け皿）を模式的に示す斜視図および正面視の断面図。
【図５】本発明の実施の形態３に係る自動販売機を説明する正面視の断面図。
【符号の説明】
【００４２】
１ 圧縮機
２ ガスクーラ
２ｆ 庫外ファン
３ 膨張手段
１０ 商品収納庫
１１ キャビネット
１１ａ 側面
１１ｂ 背面
１１ｃ 底面
１２ 正面扉
１３ 商品収納ラック
１４ シュータ
１５ 庫内部品収納室
１６ 背面ダクト
１６ａ 背面ダクト入口
１６ｂ 背面ダクト出口
１６ｃ 背面ダクト天板
２０ 冷凍ユニット
３１ 風胴
３２ 蒸発器
３２ａ 蒸発器側板
３３ 庫内ファン
３４ 通電ヒータ
５０ ドレン受け皿
５１ 皿側方斜面
５２ 皿前後斜面
５３ 皿平面
５４ ドレン排水孔
５５ ドレン管
５６ 吸水紙
６０ ダクト板
６０ｂ ダクト板
６０ｃ ダクト板
６０ｄ ダクト板
６０ｅ ダクト板
６１ 平行部
６２ 折り曲げ部
６３ 傾斜部
６４ 側端部
６５ 折り曲げ部
６６ 当接部
７２ 接合部
７３ 傾斜部
７４ 側端部
７５ 折り曲げ部
７６ 当接部
１００ 自動販売機（実施の形態１）
２００ 自動販売機（実施の形態２）
３００ 自動販売機（実施の形態３）
Ｓ 商品
【図１】
2010015356.tif 000003
【図２】
2010015356.tif 000004
【図３】
2010015356.tif 000005
【図４】
2010015356.tif 000006
【図５】
2010015356.tif 000007